(57)【要約】      （修正有）【課題】遮光をより確実にする表示装置を提供する。【解決手段】表示装置１は、表示パネル２と、前記表示パネルの背後に配置されるバックライト４と、前記バックライトの側面を覆う第１枠部２２を有し、かつ前記バックライトを収納する収納部２０と、前記表示パネルの側面および前記第１枠部を覆う第２枠部１２を有し、かつ前記表示パネルの縁を覆う額縁部１０と、前記第２枠部を覆う側面フレーム３１と、前記収納部の背面を覆う背面フレーム３３と、前記側面フレームまたは前記背面フレームから前記表示装置の内側に向かって垂直に突出すると共に、突出方向に沿って略同一の厚さを有しかつ前記第２枠部における前記表示装置の内側に向いた端部に対向する遮光部３２とを有する側面筐体３０とを備える。【選択図】図１
2020201438.tif 000002
【特許請求の範囲】
【請求項１】
表示パネルと、
前記表示パネルの背後に配置されるバックライトと、
前記バックライトの側面を覆う第１枠部を有し、かつ前記バックライトを収納する収納部と、
前記表示パネルの側面および前記第１枠部を覆う第２枠部を有し、かつ前記表示パネルの縁を覆う額縁部と、
前記第２枠部を覆う側面フレームと、前記収納部の背面を覆う背面フレームと、前記側面フレームまたは前記背面フレームから表示装置の内側に向かって垂直に突出すると共に、突出方向に沿って略同一の厚さを有しかつ前記第２枠部における前記表示装置の内側に向いた端部に対向する遮光部とを有する側面筐体とを備えていることを特徴とする表示装置。
【請求項２】
前記遮光部は、前記側面フレームから前記第１枠部に向かって突出しており、
前記遮光部における側面と、前記第２枠部における前記表示装置の内側に向いた端部とが対向していることを特徴とする請求項１に記載の表示装置。
【請求項３】
前記遮光部は、前記背面フレームから前記第２枠部の端部に向かって突出しており、かつ前記第２枠部と略同一平面内に配置されることを特徴とする請求項１に記載の表示装置。
【請求項４】
前記遮光部は、前記側面フレームから前記第２枠部に向かって突出する第１部分と、前記背面フレームの端部から前記表示装置の内側に向かって突出しかつ前記第１部分の突出先の端部に接続される第２部分とによって構成されることを特徴とする請求項１に記載の表示装置。
【請求項５】
前記第２部分は、前記第２枠部と略同一平面内に配置されることを特徴とする請求項４に記載の表示装置。
【請求項６】
前記側面筐体は金属材料によって構成されていることを特徴とする請求項１〜５のいずれか１項に記載の表示装置。
【発明の詳細な説明】
【技術分野】
【０００１】
本発明は、表示装置に関する。
【背景技術】
【０００２】
近年、テレビジョン装置を含む各種の表示装置において、光漏れを抑制するための工夫がなされている。そのような工夫が適用された表示装置の一例が、特許文献１に開示される。
【０００３】
特許文献１には、映像を表示する表示パネルと、前記表示パネルの背面に配置されたバックライトの側面を覆う収容縁部を有し、前記バックライトを収容するバックライト収容体と、前記表示パネルの側面と前記収容縁部とを覆う額縁枠部を有し、前記表示パネルの縁を覆う前枠と、前記額縁枠部を覆う外装部を有する側面筐体と、前記側面筐体の内側に、前記表示パネルの背面側を向いた前記額縁枠部の端面に対向して設けられており、前記額縁枠部との間の距離が前記収容縁部と前記額縁枠部との間の距離よりも短い遮光部とを備えることを特徴とする表示装置が開示される。
【先行技術文献】
【特許文献】
【０００４】
【特許文献１】特開２０１６−２１３８１４号公報
【発明の概要】
【発明が解決しようとする課題】
【０００５】
特許文献１の技術には、遮光をより確実にできる余地がある。
【０００６】
本発明の一態様は、遮光をより確実にすることを目的とする。
【課題を解決するための手段】
【０００７】
上記の課題を解決するために、本発明に係る表示装置は、表示パネルと、前記表示パネルの背後に配置されるバックライトと、前記バックライトの側面を覆う第１枠部を有し、かつ前記バックライトを収納する収納部と、前記表示パネルの側面および前記第１枠部を覆う第２枠部を有し、かつ前記表示パネルの縁を覆う額縁部と、前記第２枠部を覆う側面フレームと、前記収納部の背面を覆う背面フレームと、前記側面フレームまたは前記背面フレームから表示装置の内側に向かって垂直に突出すると共に、突出方向に沿って略同一の厚さを有しかつ前記第２枠部における前記表示装置の内側に向いた端部に対向する遮光部とを有する側面筐体とを備えている構成である。
【発明の効果】
【０００８】
本発明の一態様によれば、遮光をより確実にすることができるという効果を奏する。
【図面の簡単な説明】
【０００９】
【図１】本発明の一実施形態に係るテレビジョン装置の側面の断面を示す断面図である。
【図２】本発明の一実施形態に係るテレビジョン装置の構成を示すブロック図である。
【図３】本発明の一実施形態に係るテレビジョン装置における遮光効果を説明する図である。
【図４】本発明の一実施形態に係るテレビジョン装置の側面の断面を示す図である。
【図５】本発明の一実施形態に係るテレビジョン装置の側面の断面を示す図である。
【図６】本発明の一実施形態に係るテレビジョン装置の側面の断面を示す図である。
【図７】本発明の一実施形態に係るテレビジョン装置の側面の断面を示す図である。
【発明を実施するための形態】
【００１０】
〔実施形態１〕
（テレビジョン装置１の構成）
図２は、本発明の一実施形態に係るテレビジョン装置１の構成を示すブロック図である。この図に示すように、テレビジョン装置１（表示装置）は、表示パネル２を備えている。表示パネル２は映像を表示する部品であり、本実施形態では液晶パネルである。
【００１１】
図１は、本発明の一実施形態に係るテレビジョン装置１の側面の断面を示す断面図である。図１の左側がテレビジョン装置１の前面側に相当し、右側がテレビジョン装置１の背面側に相当する。この図に示すように、テレビジョン装置１は、表示パネル２、バックライト４、額縁部１０、収納部２０、側面筐体３０、および背面筐体４０を備えている。
【００１２】
バックライト４は、表示パネル２に背面に配置されている。バックライト４は、図示しない発光素子などを備えており、表示パネル２を背面から照射する。収納部２０は、テレビジョン装置１の内側においてバックライト４を収納する。収納部２０は、背面部２１および側面枠部２２（第１枠部）によって構成されている。背面部２１は、バックライト４と略同一形状の平面構造を有しており、バックライト４の背後に配置される。側面枠部２２は、背面部２１の端部からテレビジョン装置１の前面に向かって延伸しており、かつバックライト４の側面を覆っている。このように、バックライト４は、背面部２１および側面枠部２２によって囲われる内側空間に収納されている。
【００１３】
額縁部１０は、表示パネル２の額縁部分に取り付けられている。額縁部１０は、前面枠部１１および側面枠部１２（第２枠部）によって構成されている。前面枠部１１および側面枠部１２はいずれも直線形状であり、それぞれの一端同士が互いに接続されている。前面枠部１１および側面枠部１２によって直角が形成される。すなわち額縁部１０の断面は、全体としてＬ字形状を成している。
【００１４】
前面枠部１１は、表示パネル２の面方向と同一の方向に沿って、表示パネル２の前面側に配置されており、かつ表示パネル２の前面における縁を覆っている。側面枠部１２は、前面枠部１１における表示パネル２の側面側に突出した部分の一端から、テレビジョン装置１の内側に向かって延伸しており、かつ表示パネル２の側面および側面枠部２２を覆っている。
【００１５】
側面筐体３０は、テレビジョン装置１の側面（上面）を囲う筐体である。側面筐体３０は、側面フレーム３１、遮光部３２、および背面フレーム３３を備えている。側面フレーム３１は、側面枠部１２の上方に配置され、かつ少なくとも側面枠部１２を覆っている。背面フレーム３３は、収納部２０の背面に配置され、かつ収納部２０の背面を部分的に覆っている。背面フレーム３３の端部は、側面フレーム３１に接続されており、側面フレーム３１と背面フレーム３３とが互いに直交している。
【００１６】
遮光部３２は、側面フレーム３１からテレビジョン装置１の内側に向かって垂直に突出している。すなわち、遮光部３２は、背面フレーム３３と平行に配置される。遮光部３２の厚さは、遮光部３２の突出方向に沿って略同一である。遮光部３２は、側面枠部１２におけるテレビジョン装置１の内側に向いた端部し対向している。詳細には、遮光部３２の側面と、側面枠部１２の端部とが対向している。
【００１７】
本実施形態では、側面筐体３０は、金属材料によって構成されている。本実施形態では、側面筐体３０の材料はアルミニウムであり、側面筐体３０はアルミニウムの押し出し成形によって形成されている。これにより、側面筐体３０を構成する側面フレーム３１、遮光部３２、および背面フレーム３３を、いずれも薄くかつ略同一厚さの形状とすることができる。側面筐体３０の材料は、必ずしも金属材料に限られず、遮光部３２をその突出方向に沿って略同一厚さの形状に成形できる材料であれば、任意の材料でよい。金属材料であれば、遮光部３２をその突出方向に沿って略同一厚さの形状に成形することができるので好ましい。
【００１８】
背面筐体４０は、テレビジョン装置１の背面を囲う筐体である。図１では、背面筐体４０は、側面フレーム３１におけるテレビジョン装置１の背面側の端部に、背面筐体４０の一端が接触する形で取り付けられている。
【００１９】
（主要な作用効果）
図３は、本発明の一実施形態に係るテレビジョン装置１における遮光効果を説明する図である。図３の１０１０は、従来のテレビジョン装置１０１の側面の断面を示し、図３の１０２０は、図１と同様に、テレビジョン装置１の側面の断面を示す。
【００２０】
図３の１０１０に示すように、従来のテレビジョン装置１０１は、側面枠部１２における端部の面に対向する遮光部１３２を備えている。これにより、側面枠部１２と、遮光部１３２との隙間を有る程度小さくすることができる。バックライト１０４が照射した光は、その大部分が表示パネル１０２の背面に向かうが、一部の光１５１は表示パネル１０２の側部から遠ざかる方向に向かい、前面枠部１１１によって反射される。その結果、光１５１は側面枠部１１２と背面部１２１との間を、テレビジョン装置１０１の背面方向に移動する。その際、光１５１の大半は、隙間を通じてテレビジョン装置１０１の外部に漏れることなく、背面フレーム３３に到達する。このように、遮光部１３２によって、ある程度の遮光性を確保することはできる。
【００２１】
しかし、図３の１０１０に示すように、従来のテレビジョン装置１０１では、遮光部１３２が側面フレーム１３１から垂直に立ち上がらない場合がある。すなわち、遮光部１３２は台形形状を有しており、遮光部１３２の側面が、側面枠部１２における端部の面に対して斜めに配置される。この場合、遮光部３２と側面枠部１２との間の隙間が、光漏れが生じるほど大きくなり得る。この結果、光１５１の一部が、遮光部１３２と側面枠部１２との間の隙間を通じて側面フレーム３１と側面枠部１２との間に移動する。これにより、光５１が側面フレーム３１と側面枠部１２との間を通じて表示パネル２の周囲から漏れてしまうため、従来のテレビジョン装置１０１では、遮光を確実にできない場合があり得る。
【００２２】
一方、図３の１０２０に示すように、テレビジョン装置１では、遮光部３２は、側面フレーム３１から背面部２１に垂直に立ち上がっており、遮光部３２の側面と、側面枠部１２における端部の面とが、互いに平行な位置関係で互いに対向している。これにより、遮光部３２と側面枠部１２との間の隙間は、可能な限り小さくなっている。詳細には、隙間は、側面枠部１２と背面部２１との距離よりも小さい。バックライト４が照射した光は、その大部分が表示パネル２の背面に向かうが、一部の光５１は表示パネル２の側部から遠ざかる方向に向かい、前面枠部１１によって反射される。その結果、光５１は側面枠部１２と背面部２１との間を、テレビジョン装置１の背面方向に移動する。その際、遮光部３２と側面枠部１２との間の隙間が小さく、かつ、遮光部３２が垂直に立ち上がっているため、光５１の一部が当該隙間を通じて側面フレーム３１と側面枠部１２との間に移動することがない。これにより、光５１が側面フレーム３１と側面枠部１２との間を通じて表示パネル２の周囲から漏れることを抑制することができる。このように、テレビジョン装置１では、遮光を確実にすることができる。
【００２３】
さらには、テレビジョン装置１では、遮光部３２の厚さは、遮光部３２の突出方向に沿って略同一である。すなわち、遮光部３２における任意の位置の厚さは、位置に関わらず略同一となっている。これにより、遮光部３２の形成に必要な材料を減らすことができ、さらに、遮光部３２をより小型化することができる。これらのことから、遮光部３２を有する側面筐体３０のサイズを小型することもできるので、結果的に、側面筐体３０を備えるテレビジョン装置１の小型化をも実現することができる。
【００２４】
〔実施形態２〕
図４は、本発明の一実施形態に係るテレビジョン装置１Ａの側面の断面を示す図である。テレビジョン装置１Ａの構成要素は、図１に示すテレビジョン装置１の構成要素と変わらない。しかし、テレビジョン装置１Ａでは、側面フレーム３１、遮光部３２、および側面枠部１２の位置関係が、テレビジョン装置１におけるそれと異なっている。本実施形態に係るテレビジョン装置１Ａにおいて、遮光部３２は、側面フレーム３１から突出し、かつ、側面枠部２２の端部を超えて、側面枠部２２に近接する位置にまで延伸している。また、遮光部３２の長さは、テレビジョン装置１が備える遮光部３２の長さと同一である。したがって、図４の例では、側面フレーム３１が、側面枠部１２により近い位置に配置されることになる。
【００２５】
図４のテレビジョン装置１Ａにおいて、遮光部３２と側面枠部１２との隙間は、図１のテレビジョン装置１と同様に非常に小さくなっている。したがって、バックライト４からの光５１が、当該隙間を通じてテレビジョン装置１Ａの外部に漏れることを抑制できる。また、図４の例では、側面フレーム３１は、側面枠部１２により近い位置に配置される。これにより、側面フレーム３１と側面枠部１２との距離を、図１の例に比べてより小さくすることができるので、テレビジョン装置１をより小型化したり薄型化したりすることができる。
【００２６】
〔実施形態３〕
図５は、本発明の一実施形態に係るテレビジョン装置１Ｂの側面の断面を示す図である。テレビジョン装置１Ｂの構成要素は、図１に示すテレビジョン装置１の構成要素と変わらない。しかし、テレビジョン装置１Ｂでは、側面筐体３０の形状が、テレビジョン装置１が備える側面筐体３０の形状と異なっている。本実施形態に係るテレビジョン装置１Ｂにおいて、遮光部３２は、側面フレーム３１ではなく背面フレーム３３から突出している。詳細には、遮光部３２は、背面フレーム３３から側面枠部１２の端部に向かって突出しており、かつ側面枠部１２と略同一平面内に配置されている。すなわち、遮光部３２は側面枠部１２と平行になっている。これにより、図５に示すように、遮光部３２における突出方向の端部が、側面枠部１２におけるテレビジョン装置１の内側に向いた端部に対向している。
【００２７】
図５のテレビジョン装置１Ｂにおいて、遮光部３２と側面枠部１２との隙間は、図１のテレビジョン装置１と同様に非常に小さくなっている。したがって、バックライト４からの光５１が、当該隙間を通じてテレビジョン装置１Ｂの外部に漏れることを抑制できる。さらに、本実施形態では、遮光部３２がテレビジョン装置１の表示面の面方向に沿って突出しないため、遮光部３２と、遮光部３２よりもテレビジョン装置１の下部に配置される他の部材（図５では収納部２０）とのスペースを十分に取ることができる。一方で、遮光部３２が側面フレーム３１と平行に配置されるため、これらが直交する図１の例に比べて、側面フレーム３１と遮光部３２との距離を小さくすることができる。これにより、側面フレーム３１と側面枠部１２との距離を、より小さくすることができるため、テレビジョン装置１をより小型化したり薄型化したりすることができる。
【００２８】
〔実施形態４〕
図６は、本発明の一実施形態に係るテレビジョン装置１Ｃの側面の断面を示す図である。テレビジョン装置１Ｃの構成要素は、図１に示すテレビジョン装置１の構成要素と変わらない。しかし、テレビジョン装置１Ｃでは、側面筐体３０の形状が、テレビジョン装置１が備える側面筐体３０の形状と異なっている。本実施形態に係るテレビジョン装置１Ｃにおいて、遮光部３２は、側面フレーム３１から側面枠部２２に向かって突出する第１部分と、背面フレーム３３の端部からテレビジョン装置１の内側に向かって突出しかつ第１部分の突出先の端部に接続される第２部分とによって構成される。このように、図６のテレビジョン装置１Ｃにおいて、遮光部３２は、側面フレーム３１および背面フレーム３３に接続され、かつ全体としてＬ字形状を有している。
【００２９】
図６のテレビジョン装置１Ｃにおいて、遮光部３２における第１部分と、側面枠部１２との隙間は、図１のテレビジョン装置１と同様に非常に小さくなっている。したがって、バックライト４からの光５１が、当該隙間を通じてテレビジョン装置１Ｃの外部に漏れることを抑制できる。さらに、図６のテレビジョン装置１Ｃでは、背面フレーム３３の端部が側面フレーム３１に接続されていないため、側面筐体３０の背面側に、直線形状の側面フレーム３１とＬ字形状の遮光部３２とによって囲われる空間３４が形成される。遮光部３２は、この空間３４に挿入される他の部材を保持する保持構造としても機能する。図６では、背面筐体４０の端部がテレビジョン装置１の前面に向かって折れ曲がっており、当該端部が空間３４に挿入される。このように遮光部３２は、背面筐体４０の端部を保持している。これにより背面筐体４０は、図１のテレビジョン装置１に比べてより強固に側面筐体３０に取り付けられる。
【００３０】
さらに、遮光部３２が背面の保持構造を兼ねているため、遮光部３２から独立した保持構造を別途側面筐体３０に形成する必要がない。逆に言えば、保持構造が遮光部３２を兼ねている。したがって、テレビジョン装置１Ｃの内側構造上、保持構造から独立して遮光構造を別途形成することが困難である場合にも、遮光構造としての遮光部３２を形成することができる。
【００３１】
〔実施形態５〕
図７は、本発明の一実施形態に係るテレビジョン装置１Ｄの側面の断面を示す図である。テレビジョン装置１Ｄの構成要素は、図３に示すテレビジョン装置１Ｃの構成要素と変わらない。さらに、側面筐体３０の形状も、全体として互いに良く似ている。しかし、テレビジョン装置１Ｄでは、遮光部３２における背面フレーム３３から突出する第２部分が、側面枠部１２と略同一平面内に配置される。すなわち、本実施形態に係る側面筐体３０は、図５に示す側面筐体３０の形状と、図６に示す遮光部３２の形状とをそれぞれ部分的に兼ねている。
【００３２】
本実施形態では、遮光部３２における側面フレーム３１から突出する第１部分の長さが、図６の例に比べて短い。これにより、遮光部３２における背面フレーム３３から突出する第２部分と、側面フレーム３１との間隔が、図３における遮光部３２と側面フレーム３１との間隔と略同一にすることができる。結果、側面フレーム３１と側面枠部１２との間隔を、図６の例に比べて小さくすることができるので、テレビジョン装置１Ｄを小型化したり薄型化したりすることができる。
【００３３】
図７のテレビジョン装置１Ｄでも、図６の例と同様に、背面フレーム３３の端部が側面フレーム３１に接続されていないため、側面筐体３０の背面側に、直線形状の側面フレーム３１とＬ字形状の遮光部３２とによって囲われる空間３４が形成される。したがって、実施形態４と同様に、遮光部３２を、空間３４に挿入される他の部材（図７では背面筐体４０）を保持する保持構造としても機能させることができる。
【００３４】
〔まとめ〕
本発明の態様１に係る表示装置は、表示パネルと、前記表示パネルの背後に配置されるバックライトと、前記バックライトの側面を覆う第１枠部を有し、かつ前記バックライトを収納する収納部と、前記表示パネルの側面および前記第１枠部を覆う第２枠部を有し、かつ前記表示パネルの縁を覆う額縁部と、前記第２枠部を覆う側面フレームと、前記収納部の背面を覆う背面フレームと、前記側面フレームまたは前記背面フレームから表示装置の内側に向かって垂直に突出すると共に、突出方向に沿って略同一の厚さを有しかつ前記第２枠部における前記表示装置の内側に向いた端部に対向する遮光部とを有する側面筐体とを備えている構成である。
【００３５】
本発明の態様２に係る表示装置は、前記の態様１において、前記遮光部は、前記側面フレームから前記第１枠部に向かって突出しており、前記遮光部における側面と、前記第２枠部における前記表示装置の内側に向いた端部とが対向している構成としてもよい。
【００３６】
本発明の態様３に係る表示装置は、前記の態様１において、前記遮光部は、前記背面フレームから前記第２枠部の端部に向かって突出しており、かつ前記第２枠部と略同一平面内に配置される構成としてもよい。
【００３７】
本発明の態様４に係る表示装置は、前記の態様１において、前記遮光部は、前記側面フレームから前記第２枠部に向かって突出する第１部分と、前記背面フレームの端部から前記表示装置の内側に向かって突出しかつ前記第１部分の突出先の端部に接続される第２部分とによって構成される構成としてもよい。
【００３８】
本発明の態様５に係る表示装置は、前記の態様４において、前記第２部分は、前記第２枠部と略同一平面内に配置される構成としてもよい。
【００３９】
本発明の態様６に係る表示装置は、前記の態様１〜５のいずれかにおいて、前記側面筐体は金属材料によって構成されている構成としてもよい。
【００４０】
〔付記事項〕
本開示は上述した各実施形態に限定されるものではなく、請求項に示した範囲で種々の変更が可能であり、異なる実施形態にそれぞれ開示された技術的手段を適宜組み合わせて得られる実施形態についても本開示の技術的範囲に含まれる。さらに、各実施形態にそれぞれ開示された技術的手段を組み合わせることにより、新しい技術的特徴を形成できる。
【符号の説明】
【００４１】
１、１Ａ、１Ｂ、１Ｃ、１Ｄ  テレビジョン装置
２  表示パネル
４  バックライト
１０  額縁部
１１  前面枠部
１２、２２  側面枠部
２０  収納部
２１  背面部
３０  側面筐体
３１  側面フレーム
３２  遮光部
３３  背面フレーム
３４  空間
４０  背面筐体
【図１】
2020201438.tif 000003
【図２】
2020201438.tif 000004
【図３】
2020201438.tif 000005
【図４】
2020201438.tif 000006
【図５】
2020201438.tif 000007
【図６】
2020201438.tif 000008
【図７】
2020201438.tif 000009